(57)【要約】【課題】食品用袋５００を少しずつ食料品６００に対して相対的に下方にずらす、すなわち、食料品６００を少しずつ食品用袋５００に対して相対的に上方に押し上げることにより、食料品６００の部分６０１を食品用袋５００の開口部５１０から外側に露出させるという、従来は困難であった作業を比較的容易に行うことを可能にする食品用袋用指サックを提供する。【解決手段】指サック１００は一対の指サック部材１１０Ａ、１１０Ｂからなり、一対の指サック部材の各々には指を入れることができる空洞部が形成されている。一対の指サック部材の各々の相互に対向する面には、一対の指サック部材の各々を食品用袋の外側表面の各々に接着させる接着性領域１２０されている。【選択図】図３
2010159058.tif 000002
【特許請求の範囲】
【請求項１】
開口部を有する食品用袋の前記開口部を形成する側面のうち、少なくとも相互に対向する側面の各々の外側表面に接着することにより使用される指サックであって、
前記指サックは一対の指サック部材からなり、
前記一対の指サック部材の各々には前記食品用袋のユーザーが何れかの指を入れることができる空洞部が形成されており、
前記一対の指サック部材は、前記一対の指サック部材の各々の前記空洞部が同一方向に延びるように、前記一対の指サック部材の各々の基端において相互に連結されており、
前記一対の指サック部材の各々の相互に対向する面には、前記空洞部の入り口に隣接して、前記一対の指サック部材の各々を前記食品用袋の前記外側表面の各々に接着させる接着性領域が形成されている指サック。
【請求項２】
前記一対の指サック部材を相互に連結する結合領域をさらに備えることを特徴とする請求項１に記載の指サック。
【請求項３】
開口部を有する食品用袋の前記開口部を形成する側面のうち、少なくとも相互に対向する側面の各々の外側表面に接着することにより使用される指サックであって、
前記指サックは、一対の指サック部材と、前記一対の指サック部材を相互に連結する平面状領域と、からなり、
前記一対の指サック部材の各々には前記食品用袋のユーザーが何れかの指を入れることができる空洞部が同一方向に延びるように形成されており、
前記平面状領域には前記食品用袋の前記外側表面の各々に接着する接着性領域が形成されている指サック。
【発明の詳細な説明】
【技術分野】
【０００１】
本発明は食品用袋に使用される指サックに関し、より詳細には、例えば、フライドチキンやコロッケなどの揚げ物のように、手で直接触れると手が汚れるような食品を入れる食品用袋に使用される指サックに関する。
【背景技術】
【０００２】
手で直接触れると手が汚れるような食品（例えば、フライドチキンやコロッケなどのように油で揚げたもの、ドーナツやパイのように表面に粘着性のシロップや調味料が付着しているものなど）を店内（あるいは店外）で食する場合、袋（多くの場合、紙製）に入れられて、購入者に渡されることが多い。
【０００３】
このような場合に購入者の手が汚れないような食品包装袋が提案されている（特許文献１）。
【特許文献１】実用新案登録第３１０５４０８号公報
【発明の開示】
【発明が解決しようとする課題】
【０００４】
袋に入れられた食品を食する場合、購入者は袋の外側から片手で袋の中の食品を掴んで食品を保持し、袋の開口部から外部に露出している食品に齧りつくことになる。
【０００５】
フライドチキンやコロッケなどのように長さのある食品をこのようにして食する場合、食品の一部（すなわち、開口部から外部に露出していた部分）を食べ終わった後、袋の中に隠れている部分を開口部の外側に引きずり出す必要がある。
【０００６】
この場合、購入者は、袋を少しずつ食品に対して相対的に下方にずらすことにより、食品を袋に対して相対的に上方に押し上げ、最終的に、食品を開口部から外部に露出させる作業を行わなければならない。
【０００７】
当然のことながら、この作業は、食品が袋ごと落ちないように、指で食品及び袋の双方を抑えながら行うことが必要である。
【０００８】
しかしながら、多くの人にそのような経験があるものと思われるが、指で食品及び袋の双方を抑えながら、袋を少しずつ食品に対して相対的に下方にずらす、すなわち、食品を少しずつ袋に対して相対的に上方に押し上げるという作業はかなり困難な作業に属する。
【０００９】
特許文献１に記載されている食品包装袋は、購入者の手が汚れないように、袋本体の内側に不織布を配置しただけのものであり、特許文献１においては、上記のような作業（指で食品及び袋の双方を抑えながら、袋を少しずつ食品に対して相対的に下方にずらす作業）が困難であることは認識されておらず、さらには、そのような作業を回避するための提案もなされていない。
【００１０】
本発明はこのような問題に鑑みてなされたものであり、上記のような困難な作業を比較的容易に行うことを可能にする食品用袋に用いる指サックを提供することを目的とする。
【課題を解決するための手段】
【００１１】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１２】
上記の目的を達成するため、本発明は、第一の態様として、開口部（５１０）を有する食品用袋（５００）の前記開口部（５１０）を形成する側面のうち、少なくとも相互に対向する側面（５０１、５０２）の各々の外側表面に接着することにより使用される指サック（１００）であって、前記指サック（１００）は一対の指サック部材（１１０Ａ、１１０Ｂ）からなり、前記一対の指サック部材（１１０Ａ、１１０Ｂ）の各々には前記食品用袋（５００）のユーザーが何れかの指を入れることができる空洞部（１１１）が形成されており、前記一対の指サック部材（１１０Ａ、１１０Ｂ）は、前記一対の指サック部材（１１０Ａ、１１０Ｂ）の各々の前記空洞部（１１１）が同一方向に延びるように、前記一対の指サック部材（１１０Ａ、１１０Ｂ）の各々の基端（１１２Ａ、１１２Ｂ）において相互に連結されており、前記一対の指サック部材（１１０Ａ、１１０Ｂ）の各々の相互に対向する面には、前記空洞部（１１１）の入り口に隣接して、前記一対の指サック部材（１１０Ａ、１１０Ｂ）の各々を前記食品用袋（５００）の前記外側表面の各々に接着させる接着性領域（１２０）が形成されている指サック（１００）を提供する。
【００１３】
本発明に係る指サック（２００）は、前記一対の指サック部材（１１０Ａ、１１０Ｂ）を相互に連結する結合領域（２１０）をさらに備えることが好ましい。
【００１４】
本発明は、さらに、第二の態様として、開口部（５１０）を有する食品用袋（５００）の前記開口部（５１０）を形成する側面のうち、少なくとも相互に対向する側面（５０１、５０２）の各々の外側表面に接着することにより使用される指サック（３００）であって、前記指サック（３００）は、一対の指サック部材（１１０Ａ、１１０Ｂ）と、前記一対の指サック部材（１１０Ａ、１１０Ｂ）を相互に連結する平面状領域（３１０）と、からなり、前記一対の指サック部材（１１０Ａ、１１０Ｂ）の各々には前記食品用袋（５００）のユーザーが何れかの指を入れることができる空洞部（１１１）が同一方向に延びるように形成されており、前記平面状領域（３１０）には前記食品用袋（５００）の前記外側表面の各々に接着する接着性領域（３２０）が形成されている指サック（３００）を提供する。
【発明の効果】
【００１５】
接着性領域を食品用袋の側面の外側表面に対して接着させることにより、本発明の第一の態様に係る指サックは食品用袋に対して接着性領域を介して接着され、食品用袋と一体になる。このため、ユーザーは一対の指サック部材の各々に一本ずつ指を入れることにより（例えば、親指と人指し指）、食品用袋の中の食料品を食品用袋の外側から掴むことができる。ユーザーの指が入れられている一対の指サック部材は食品用袋に対して連結されているため、ユーザーが食品用袋から指を離しても、食品用袋が食料品とともに落下することはない。このため、ユーザーは一対の指サック部材に入れている２本の指を使って（あるいは、他の３本の指も使って）、食品用袋を少しずつ食料品に対して相対的に下方にずらす、すなわち、食料品を少しずつ食品用袋に対して相対的に上方に押し上げることにより、食料品の一部分（食品用袋の開口部の下方にある部分）を食品用袋の開口部から外側に露出させるという、従来は困難であった作業を比較的容易に行うことができる。
【００１６】
また、結合領域を形成することにより、一対の接着性領域が結合領域の長さの分だけ相互に離間するため、一対の接着性領域を食品用袋の側面の各外側表面に貼り付けることが容易になる。
【００１７】
さらに、本発明の第二の態様に係る指サックによっても、本発明の第一の態様に係る指サックの上述の効果と同様の効果を得ることができる。
【発明を実施するための最良の形態】
【００１８】
（第一の実施形態）
図１は本発明の第一の実施形態に係る指サック１００の斜視図であり、図２は本実施形態に係る指サック１００を上方から見た場合の平面図である。
【００１９】
また、図３は、食品用袋５００に対して、本実施形態に係る指サック１００を使用した場合の使用状況を示す斜視図であり、図４は図３に示すＡ方向から本実施形態に係る指サック１００を見た場合の平面図である。
【００２０】
図３及び図４に示すように、本実施形態に係る指サック１００は、二つの側面５０１、５０２により開口部５１０が形成されている食品用袋５００に対して使用される。この食品用袋５００の中にはフライドチキンその他の食料品６００が入れられている。
【００２１】
本実施形態に係る指サック１００は、一対の指サック部材１１０Ａ、１１０Ｂを備えている。
【００２２】
指サック１００は、紙、ビニールその他の樹脂などの可撓性を有する材質からつくられている。
【００２３】
一対の指サック部材１１０Ａ、１１０Ｂの各々には食品用袋５００のユーザーが一本の指を入れることができる空洞部１１１が形成されている。
【００２４】
一対の指サック部材１１０Ａ、１１０Ｂは、図１及び図２に示すように、一対の指サック部材１１０Ａ、１１０Ｂの各々の空洞部１１１が同一方向に延びるように、一対の指サック部材１１０Ａ、１１０Ｂの各々の基端１１２Ａ、１１２Ｂにおいて相互に連結されている。あるいは、一対の指サック部材１１０Ａ、１１０Ｂは、それらの各々の空洞部１１１の入り口が隣接するように、すなわち、空洞部１１１の入り口が同じ向きを向くように、基端１１２Ａ、１１２Ｂを介して連続して配置されている。
【００２５】
図２に示すように、一対の指サック部材１１０Ａ、１１０Ｂの各々の相互に対向する面には、空洞部１１１の入り口に隣接して、一対の指サック部材１１０Ａ、１１０Ｂの各々を食品用袋５００の側面５０１、５０２の外側表面の各々に接着させる接着性領域１２０が形成されている。
【００２６】
接着性領域１２０は、例えば、両面粘着テープを指サック部材１１０Ａ、１１０Ｂの側面５０１、５０２の外側表面に貼り付けることにより、形成することが可能である。なお、この場合には、両面粘着テープの表面には剥離紙を付けたままにしておく。
【００２７】
以上のような構造を有する本実施形態に係る指サック１００は、以下のようにして、使用される。
【００２８】
本実施形態に係る指サック１００を使用する場合には、先ず、ユーザーは一対の指サック部材１１０Ａ、１１０Ｂの一方に一本の指を、他方に他の指を差し込む（例えば、指サック部材１１０Ａには右手の人指し指を、指サック部材１１０Ｂには右手の親指を差し込む）。
【００２９】
その後、接着性領域１２０（剥離紙が付いている場合には、剥離紙を剥がす）を食品用袋５００の側面５０１、５０２の外側表面に対して接着させる。
【００３０】
これにより、指サック１００は食品用袋５００に対して接着性領域１２０を介して接着され、食品用袋５００と一体になる。
【００３１】
このため、図３または図４に示すように、ユーザーは一対の指サック部材１１０Ａ、１１０Ｂの各々に一本ずつ指を入れることにより（例えば、親指と人指し指）、食品用袋５００の中の食料品６００を食品用袋５００の外側から掴むことができる。
【００３２】
食品用袋５００の開口部５１０から外部に露出している食料品６００の一部分６０１を食べ終わると、ユーザーは、食品用袋５００の内部にある食料品６００の他の部分６０２を食品用袋５００の開口部５１０から外部に露出させるため、食品用袋５００を少しずつ食料品６００に対して相対的に下方にずらす、あるいは、食料品６００を食品用袋５００に対して相対的に上方に押し上げる作業を行うことが必要になる。
【００３３】
ユーザーの指が入れられている一対の指サック部材１１０Ａ、１１０Ｂは食品用袋５００に対して連結されているため、ユーザーが食品用袋５００から指を離しても、食品用袋５００が食料品６００とともに落下することはない。
【００３４】
このため、ユーザーは一対の指サック部材１１０Ａ、１１０Ｂに入れている２本の指を使って（あるいは、他の３本の指も使って）、食品用袋５００を少しずつ食料品６００に対して相対的に下方にずらす、すなわち、食料品６００を少しずつ食品用袋５００に対して相対的に上方に押し上げることにより、食料品６００の部分６０２を食品用袋５００の開口部５１０から外側に露出させるという、従来は困難であった作業を比較的容易に行うことができる。
【００３５】
（第二の実施形態）
図５は本発明の第二の実施形態に係る指サック２００の斜視図であり、図６は本実施形態に係る指サック２００を上方から見た場合の平面図である。
【００３６】
本実施形態に係る指サック２００は、一対の指サック部材１１０Ａ、１１０Ｂを相互に連結する結合領域２１０を追加的に備えていることを除いて、第一の実施形態に係る指サック１００と同一の構造を有している。このため、第一の実施形態に係る指サック１００と同一の構成要素に対しては同一の参照符号を用いる。
【００３７】
結合領域２１０は矩形状の平面をなしている。
【００３８】
結合領域２１０は一対の指サック部材１１０Ａ、１１０Ｂと同一の素材からなり、一対の指サック部材１１０Ａ、１１０Ｂと一体に形成されている。
【００３９】
結合領域２１０の長さ（図６の左右方向における長さ）は特に限定されない。食料品６００の側面５０１、５０２の外側表面に接着し得る程度の長さがあれば、任意の長さを選定することができる。
【００４０】
第一の実施形態に係る指サック１００においては、一対の接着性領域１２０が相互に近接しているため、食品用袋５００の側面５０１、５０２の各外側表面に貼り付けるときに、貼り付けにくいことが起こり得る。
【００４１】
本実施形態に係る指サック２００によれば、一対の接着性領域１２０が結合領域２１０の長さの分だけ相互に離間するため、一対の接着性領域１２０を食品用袋５００の側面５０１、５０２の各外側表面に貼り付けることが容易になる。
【００４２】
本実施形態に係る指サック２００においては、結合領域２１０は平面状の領域として形成されているが、結合領域２１０を平面状の領域に形成することは必ずしも必要ではない。例えば、結合領域２１０を紐状あるいはストリング状に形成することも可能である。
【００４３】
（第三の実施形態）
図７は本発明の第三の実施形態に係る指サック３００の斜視図であり、図８は本実施形態に係る指サック３００を上方から見た場合の平面図である。
【００４４】
また、図９は、食品用袋５００に対して、本実施形態に係る指サック３００を使用した場合の使用状況を示す斜視図であり、図１０は図９に示すＢ方向から本実施形態に係る指サック３００を見た場合の平面図である。
【００４５】
本実施形態に係る指サック３００は、（１）一対の指サック部材１１０Ａ、１１０Ｂを相互に連結する平面状領域３１０を追加的に備えていること、（２）接着性領域１２０に代えて、平面状領域３１０には食品用袋５００の側面５０１、５０２外側表面の各々に接着する接着性領域３２０が形成されていること、を除いて、第一の実施形態に係る指サック１００と同一の構造を有している。このため、第一の実施形態に係る指サック１００と同一の構成要素に対しては同一の参照符号を用いる。
【００４６】
平面状領域３１０は一対の指サック部材１１０Ａ、１１０Ｂと同一の素材からなり、一対の指サック部材１１０Ａ、１１０Ｂと一体に形成されている。
【００４７】
平面状領域３１０の長さ（図８の左右方向における長さ）は特に限定されない。食料品６００の側面５０１、５０２の外側表面に接着し得る程度の長さがあれば、任意の長さを選定することができる。
【００４８】
本実施形態に係る指サック３００においては、図９に示すように、第一の実施形態における接着性領域１２０に代えて、接着性領域３２０を介して、一対の指サック部材１１０Ａ、１１０Ｂを食料品６００の側面５０１、５０２の各々の外側表面に接着する。
【００４９】
具体的には、図９または図１０に示すように、接着性領域３２０を二つの領域に折り曲げ、一方の領域を食品用袋５００の側面５０１の外側表面に貼り付け、他方の領域を食品用袋５００の側面５０２の外側表面に貼り付ける。
【００５０】
これにより、指サック３００は食品用袋５００に対して接着性領域３２０を介して接着され、食品用袋５００と一体になる。
【００５１】
本実施形態に係る指サック３００によっても、第一の実施形態に係る指サック１００と同様の効果を得ることができる。
【図面の簡単な説明】
【００５２】
【図１】図１は本発明の第一の実施形態に係る指サックの斜視図である。
【図２】図２は本発明の第一の実施形態に係る指サックを上方から見た場合の平面図である。
【図３】図３は、食品用袋に対して、本発明の第一の実施形態に係る指サックを使用した場合の使用状況を示す斜視図である。
【図４】図４は図３に示すＡ方向から本発明の第一の実施形態に係る指サックを見た場合の平面図である。
【図５】図５は本発明の第二の実施形態に係る指サックの斜視図である。
【図６】図６は本発明の第二の実施形態に係る指サックを上方から見た場合の平面図である。
【図７】図７は本発明の第三の実施形態に係る指サックの斜視図である。
【図８】図８は本発明の第三の実施形態に係る指サックを上方から見た場合の平面図である。
【図９】図９は、食品用袋に対して、本発明の第三の実施形態に係る指サックを使用した場合の使用状況を示す斜視図である。
【図１０】図１０は図９に示すＢ方向から本発明の第三の実施形態に係る指サックを見た場合の平面図である。
【符号の説明】
【００５３】
１００  本発明の第一の実施形態に係る指サック
１１０Ａ、１１０Ｂ  指サック部材
１１１  空洞部
１１２Ａ、１１２Ｂ  基端
１２０  接着性領域
２００  本発明の第二の実施形態に係る指サック
２１０  結合領域
５００  食品用袋
５０１、５０２  食品用袋の側面
５１０  開口部
６００  食料品
３００  本発明の第三の実施形態に係る指サック
３１０  平面状領域
３２０  接着性領域
【図１】
2010159058.tif 000003
【図２】
2010159058.tif 000004
【図３】
2010159058.tif 000005
【図４】
2010159058.tif 000006
【図５】
2010159058.tif 000007
【図６】
2010159058.tif 000008
【図７】
2010159058.tif 000009
【図８】
2010159058.tif 000010
【図９】
2010159058.tif 000011
【図１０】
2010159058.tif 000012